(57)【要約】      （修正有）【課題】使用時に極めて簡単な作業で机又はテーブルの天板上に所望の角度に折曲げて置くことができるとともに、不使用時に極めて簡単な作業で折畳むことができる間仕切りボードを提供する。【解決手段】間仕切りボード１０は、不使用時に折畳み可能であって使用時に３つに折曲げて机の天板上に立てた状態で置かれる。窓のない長方形状のメインボード１２は机の天板の幅方向に沿って置かれる。窓のない長方形状の一対のサイドボード１３、１４は机の天板の両側縁に沿ってそれぞれ置かれる。メインボード１２及び一対のサイドボード１３、１４は、一方の面の全体にシート状表面材１６が接着された１枚の板状発泡体を一対のスリット１０ａ、１０ａで３つに区画することにより、一方の面に接着されたシート状表面材１６で連結された状態に形成される。【選択図】図１
0003228025.tif 000002
【実用新案登録請求の範囲】
【請求項１】
不使用時に折畳み可能であって使用時に３つに折曲げて机又はテーブルの天板上に立てた状態で置かれる間仕切りボードであって、
前記間仕切りボードは、前記机又は前記テーブルの天板の幅方向に沿って置かれる、窓のない長方形状のメインボードと、
前記机又は前記テーブルの天板の両側縁に沿ってそれぞれ置かれる、窓のない長方形状の一対のサイドボードとを備え、
前記メインボード及び前記一対のサイドボードは、一方の面又は両方の面の全体にシート状表面材が接着された１枚の板状発泡体を一対のスリット又は角度９０度の一対のＶ字状溝で３つに区画することにより前記一方の面に接着されたシート状表面材で連結された状態に形成されたことを特徴とする折畳み式窓なし間仕切りボード。
【請求項２】
不使用時に折畳み可能であって使用時に３つ又は４つに折曲げて机又はテーブルの天板上に立てた状態で置かれる間仕切りボードであって、
前記間仕切りボードは、前記机又は前記テーブルの天板の幅方向に沿って置かれる、窓のない長方形状の第１及び第２メインボードと、
前記机又は前記テーブルの天板の両側縁に沿ってそれぞれ置かれる、窓のない長方形状の第１及び第２サイドボードとを備え、
前記第１メインボード、前記第２メインボード、前記第１サイドボード及び前記第２サイドボードは、両方の面の全体に第１及び第２シート状表面材がそれぞれ接着された１枚の板状発泡体からなり、
この板状発泡体をその長手方向に間隔をあけて前記第１又は第２シート状表面材とともに３本のスリット又は３本の角度９０度のＶ字状溝を形成して４つに区画することにより、前記第１メインボードと前記第１サイドボードが前記第１シート状表面材で連結され、前記第２メインボードと前記第２サイドボードが前記第１シート状表面材で連結され、前記第１メインボードと前記第２メインボードが前記第２シート状表面材で連結されるように構成されたことを特徴とする折畳み式窓なし間仕切りボード。
【考案の詳細な説明】
【技術分野】
【０００１】
本考案は、使用時に勉強用の机、オフィスの事務用の机又はテーブル、或いは飲食店の飲食用の机又はテーブルの天板上に３つに折曲げて立てた状態で置き、不使用時に折畳んで小さいスペースに収納でき、メインボードに窓を有しない間仕切りボードに関するものである。
【背景技術】
【０００２】
従来、１人対１人、又は１人対６人程度までの複数人の生徒に対して常時個別指導が可能な複数人対応型個別指導用学習机が開示されている（例えば、特許文献１（請求項１、段落［００１０］、図１、図２）参照。）。この学習机は２人が座れる程度の複数の長尺学習机と、長尺学習机上の長手方向に等間隔に設置された複数の仕切り板からなる。また、長尺学習机及び仕切り板を設置するとき、学習する生徒の人数に合せて、長尺学習机の使用数を適宜調整し、かつ長尺学習机の配置方向は教師が常に生徒の視界内にあって、迅速に個別指導及び情報伝達が可能な方向とする。更に、仕切り板の設置場所は、各生徒が、両隣の生徒の存在が気にならないようにするため、長尺学習机の長手方向に対して垂直方向にそれぞれ設置される。
【０００３】
このように構成された複数人対応型個別指導用学習机では、常時、教師が複数人の生徒に対して、個人指導できる態勢を確保することで、省空間でも、圧迫感がなく、周りに気を使うことなく、勉強に集中でき、かつ教師が複数の生徒に対して個別的に迅速に対応でき、また限られた狭い場所でも学習でき、かつ教師が常時、複数人の生徒に対して、個人指導ができる。
【先行技術文献】
【特許文献】
【０００４】
【特許文献１】実用新案登録第３１５５５３９号公報
【考案の概要】
【考案が解決しようとする課題】
【０００５】
しかし、上記特許文献１に示された複数人対応型個別指導用学習机では、仕切り板が長尺学習机に設置されているため、即ち仕切り板が長尺学習机に固定されているため、仕切り板を机に取付けるのに多くの時間を要するとともに、仕切り板を容易に取外すことができない不具合があった。また、近年、感染症（例えば、新型コロナウィルス肺炎のCOVID-19）が大流行しており、感染者の咳やくしゃみ等により空気中に浮遊するウィルスを含む飛沫をその周囲の健常者が鼻や口から吸い込むことにより、或いはウィルスを含む飛沫が周囲の健常者の目に入ることにより、周囲の健常者が感染症にかかるおそれがあり、上記特許文献１に示された複数人対応型個別指導用学習机では、仕切り板が長尺学習机上にその長手方向に等間隔にかつその長手方向に対して垂直方向に延びて設置されており、前面が開放されているため、学習机に着席した感染者が前方に向って咳やくしゃみ等をすることによりウィルスを含む飛沫が前方に飛散し、このウィルスを含む飛沫を前方の学習机に着席した健常者が鼻や口から吸い込むことにより、或いはウィルスを含む飛沫がその健常者の目に入ることにより、その健常者が感染症にかかるおそれがあった。
【０００６】
本考案の第１の目的は、使用時に極めて簡単な作業で机又はテーブルの天板上に所望の角度に展開して置くことができるとともに、不使用時に極めて簡単な作業で折畳むことができる、折畳み式窓なし間仕切りボードを提供することにある。本考案の第２の目的は、間仕切りボードを置いた机又はテーブルへの着席者が感染者である場合、或いは机又はテーブルの向こう側にいる人が感染者である場合に、その感染者の咳やくしゃみ等による飛沫が前方及び側方に飛散することや着席者に到来することを防止できる、折畳み式窓なし間仕切りボードを提供することにある。本考案の第３の目的は、使用時に前方及び側方からの他の人の目を気にせずに済む、折畳み式窓なし間仕切りボードを提供することにある。本考案の第４の目的は、間仕切りボードを不使用状態から使用状態に切換えるとき、一対のサイドボードをメインボードに対して速やかに９０度にすることができる、折畳み式窓なし間仕切りボードを提供することにある。本考案の第５の目的は、不使用状態にするために折畳んだときの面積を小さくすることができる、折畳み式窓なし間仕切りボードを提供することにある。
【課題を解決するための手段】
【０００７】
本考案の第１の観点は、図１、図４及び図５に示すように、不使用時に折畳み可能であって使用時に３つに折曲げて机１１又はテーブルの天板１１ａ上に立てた状態で置かれる間仕切りボード１０であって、この間仕切りボード１０は、机１１又はテーブルの天板１１ａの幅方向に沿って置かれる、窓のない長方形状のメインボード１２と、机１１又はテーブルの天板１１ａの両側縁に沿ってそれぞれ置かれる、窓のない長方形状の一対のサイドボード１３，１４とを備え、メインボード１２及び一対のサイドボード１３，１４は、一方の面又は両方の面の全体にシート状表面材１６が接着された１枚の板状発泡体を一対のスリット１０ａ，１０ａ又は角度９０度の一対のＶ字状溝で３つに区画することにより、一方の面に接着されたシート状表面材１６で連結された状態に形成されたことを特徴とする。
【０００８】
本考案の第２の観点は、図１３〜図１５に示すように、不使用時に折畳み可能であって使用時に３つ又は４つに折曲げて机又はテーブルの天板上に立てた状態で置かれる間仕切りボード７０であって、間仕切りボード７０は、机又はテーブルの天板の幅方向に沿って置かれる、窓のない長方形状の第１及び第２メインボード７１，７２と、机又はテーブルの天板の両側縁に沿ってそれぞれ置かれる、窓のない長方形状の第１及び第２サイドボード８１，８２とを備え、第１メインボード７１、第２メインボード７２、第１サイドボード８１及び第２サイドボード８２は、両方の面の全体に第１及び第２シート状表面材９１，９２がそれぞれ接着された１枚の板状発泡体からなり、この板状発泡体をその長手方向に間隔をあけて第１又は第２シート状表面材９１，９２とともに３本のスリット７０ａ，７０ｂ，７０ａ又は３本の角度９０度のＶ字状溝を形成して４つに区画することにより、第１メインボード７１と第１サイドボード８１が第１シート状表面材９１で連結され、第２メインボード７２と第２サイドボード８２が第１シート状表面材９１で連結され、第１メインボード７１と第２メインボード７２が第２シート状表面材９２で連結されるように構成されたことを特徴とする。
【考案の効果】
【０００９】
本考案の第１の観点の折畳み式窓なし間仕切りボードでは、シート状表面材がメインボードと一対のサイドボードとを連結しヒンジとして機能するので、間仕切りボードの使用時に、極めて簡単な作業で間仕切りボードを机又はテーブルの天板上に一対のサイドボードがメインボードに対して所望の角度、例えば９０度になるように展開しかつメインボードが正面に位置するように立てた状態で置くことができる。この間仕切りボードが置かれた机等への着席者が感染者である場合、或いは机又はテーブルの向こう側にいる人が感染者である場合に、その感染者が咳やくしゃみ等をすることにより、ウィルスを含む飛沫が空気中に浮遊しても、このウィルスを含む飛沫が間仕切りボードによりその前方及び側方に飛散することを防止でき、或いはウィルスを含む飛沫が間仕切りボードにより着席者に到来することを防止できる。また、メインボード及び一対のサイドボードに窓が形成されていないので、間仕切りボードの使用時にメインボード及びサイドボードで前方及び側方が閉止される。この結果、間仕切りボードの前方及び側方からの他の人の目を気にせずに済む。また、間仕切りボードの不使用時には、一対のサイドボードをメインボードに重ねるという極めて簡単な作業で折畳むことができる。この結果、この折畳まれた間仕切りボードを小さいスペースに収納できる。更に、メインボード及び一対のサイドボードを、一方の面又は両方の面の全体にシート状表面材が接着された１枚の板状発泡体を一対のスリット又は角度９０度の一対のＶ字状溝で３つに区画することにより、一方の面に接着されたシート状表面材で連結した状態に形成したので、上記と同様の効果が得られる。特に、上記１枚の板状発泡体を一対のスリット又は角度９０度の一対のＶ字状溝で３つに区画することにより、間仕切りボードを不使用状態から使用状態に切換えるべく、メインボードに重ねられた一対のサイドボードをメインボードから展開したときに、一対のサイドボードのメインボードに対する角度を速やかに９０度にすることができる。
【００１０】
本考案の第２の観点の折畳み式窓なし間仕切りボードでは、メインボードを窓が形成されていない左右の第１及び第２メインボードに分割し、第１メインボード、第２メインボード、第１サイドボード及び第２サイドボードが、両方の面の全体に第１及び第２シート状表面材をそれぞれ接着した１枚の板状発泡体からなり、この板状発泡体をその長手方向に間隔をあけて第１又は第２シート状表面材とともに３本のスリット又は３本の角度９０度のＶ字状溝を形成して４つに区画することにより、第１メインボードと第１サイドボードが第１シート状表面材で連結し、第２メインボードと第２サイドボードを第１シート状表面材で連結し、第１メインボードと第２メインボードを第２シート状表面材で連結したので、不使用状態にすべく第１メインボードと第２メインボードとを互いに重なるように折畳むとともに、第１サイドボードを第１メインボードに重なるように折畳み、第２サイドボードを第２メインボードに重なるように折畳む。この結果、通常、第１及び第２メインボードの合計長さの方が一対のサイドボードのそれぞれの長さより長いため、折畳んだときの間仕切りボードの面積が、上記第１及び第２の観点の折畳んだときの間仕切りボードの面積より小さくなり、収納スペースを更に小さくすることができる。
【図面の簡単な説明】
【００１１】
【図１】本考案第１実施形態の折畳み式窓なし間仕切りボードを一平面上に展開した状態を示す正面図である。
【図２】その間仕切りボードを一平面上に展開した状態を示す背面図である。
【図３】図１のＡ−Ａ線断面図である。
【図４】（ａ）はその間仕切りボードの一対のサイドボードをメインボードに重ねて折畳んだ状態を示す図３に対応する断面図であり、（ｂ）はその間仕切りボードの一対のサイドボードをメインボードに対して９０度になるように折曲げた状態を示す図３に対応する断面図である。
【図５】その間仕切りボードを机の天板上に置いた状態を示す斜視図である。
【図６】本考案第２実施形態の折畳み式窓なし間仕切りボードを一平面上に展開した状態を示す正面図図である。
【図７】その折畳み式窓なし間仕切りボードを一平面上に展開した状態を示す背面図である。
【図８】図６のＢ−Ｂ線断面図である。
【図９】（ａ）はその間仕切りボードの一対のサイドボードをメインボードに重ねて折畳んだ状態を示す図８に対応する断面図であり、（ｂ）はその間仕切りボードの一対のサイドボードをメインボードに対して９０度になるように折曲げた状態を示す図８に対応する断面図である。
【図１０】（ａ）は本考案第３実施形態の折畳み式窓なし間仕切りボードを一平面上に展開した状態を示す正面図であり、（ｂ）はその間仕切りボードを一平面上に展開した状態を示す背面図である。
【図１１】（ａ）は図１０（ａ）のＣ−Ｃ線断面図であり、（ｂ）はその間仕切りボードの一対のサイドボードをメインボードに対して９０度になるように折曲げた状態を示す（ａ）に対応する断面図である。
【図１２】その間仕切りボードの一対のサイドボードをメインボードに対して９０度に折曲げた状態を示す斜視図である。
【図１３】（ａ）は本考案第４実施形態の折畳み式窓なし間仕切りボードを一平面上に展開した状態を示す正面図であり、（ｂ）はその間仕切りボードを一平面上に展開した状態を示す背面図である。
【図１４】（ａ）は図１３（ａ）のＤ−Ｄ線断面図であり、（ｂ）はその間仕切りボードの一対のサイドボードをメインボードに対して９０度になるように折曲げかつ第１及び第２メインボードを一直線状にする直前の状態を示す（ａ）に対応する断面図である。
【図１５】使用状態の間仕切りボードを折畳んで不使用状態にする手順を示す間仕切りボードの斜視図である。
【考案を実施するための形態】
【００１２】
次に本考案を実施するための形態を図面に基づいて説明する。
【００１３】
＜第１の実施の形態＞
図５に示すように、間仕切りボード１０は、不使用時に折畳み可能であって、使用時に３つに折曲げて机１１の天板１１ａ上に立てた状態で置かれるように構成される。この間仕切りボード１０は、机１１の天板１１ａの幅方向に沿って置かれる長方形状のメインボード１２と、机１１の天板１１ａの両側縁に沿ってそれぞれ置かれる長方形状の一対のサイドボード１３，１４とを備える（図１〜図４）。机１１は、この実施の形態では、事務所に所定の間隔をあけて並んで置かれるとともに、事務員が着席する机である（図５）。
【００１４】
メインボード１２は、机１１の天板１１ａの幅より僅かに小さい長さを有する横長の長方形状に形成される（図１、図２及び図５）。また、一対のサイドボード１３，１４は、机１１の天板１１ａの奥行きより小さい長さを有する縦長の長方形状に形成される。なお、上記メインボード１２及び一対のサイドボード１３，１４には窓は形成されていない。また、メインボード１２及び一対のサイドボード１３，１４は、板状発泡体によりそれぞれ形成され、これらの板状発泡体の厚さは、３ｍｍ〜７ｍｍ程度であることが好ましい。
【００１５】
一方、板状発泡体としては、熱可塑性樹脂を主成分とする基材を化学的或いは物理的方法により発泡させたものであれば特に制限なく使用できる。具体的には、ポリプロピレン、ポリエチレン、エチレン−酢酸ビニル共重合体、又はこれらを適宜に２種以上混合して成るポリオレフィン系樹脂、ポリエステル樹脂、ポリ塩化ビニル、ＡＢＳ、ポリスチレン、ポリアクリルニトリル、ポリウレタン、メラミン樹脂、フェノール樹脂等が適しているが、目的とする積層板の軽量性、表面平滑性、環境性の観点から、特にポリオレフィン系樹脂が好ましい。
【００１６】
一方、メインボード１２及び一対のサイドボード１３，１４は、一方の面の全体にシート状表面材１６が接着された１枚の板状発泡体を一対のスリット１０ａ，１０ａで３つに区画することにより、一方の面に接着されたシート状表面材１６で連結された状態に形成される。このシート状表面材１６は、メインボード１２と一対のサイドボード１３，１４とを連結しヒンジとして機能する（図３及び図４）。具体的には、一方のサイドボード１３，１４がメインボード１２の一方の側縁を中心に回動可能に構成される（図３）。即ち、シート状表面材１６のうち一方のサイドボード１３とメインボード１２とを連結する部分がヒンジとなって、一方のサイドボード１３がメインボード１２の一方の側縁を中心に回動可能に構成される。また、他方のサイドボード１４がメインボード１２の他方の側縁を中心に回動可能に構成される。即ち、シート状表面材１６のうち他方のサイドボード１４とメインボード１２とを連結する部分がヒンジとなって、他方のサイドボード１４がメインボード１２の他方の側縁を中心に回動可能に構成される。また、シート状表面材１６としては、価格が安価であり、生産性、接着性の点から紙材が好ましい。紙材としては、更紙、アート紙、コート紙、化学繊維紙、合成紙、樹脂含浸紙の他に片面又は両面にポリエチレン等がラミネート加工されている合成樹脂加工紙等が挙げられる。また、メインボード３２及び一対のサイドボード３３，３４を構成する板状発泡体とシート状表面材３６とを接着する方法は、一般に用いられる接着剤を用いることができる。更に、シート状表面材１６の厚さは０．１ｍｍ〜０．３ｍｍ程度であることが好ましい。
【００１７】
このように構成された折畳み式窓なし間仕切りボード１０の使用方法を説明する。一対のサイドボード１３，１４がメインボード１２に重なるように折畳まれた状態（不使用状態、図４（ａ））から、一対のサイドボード１３，１４をメインボード１２に対して９０度になるように展開する。具体的には、シート状表面材１６のうち一方のサイドボード１３とメインボード１２とを連結する部分をヒンジとして、メインボード１２の一方の側縁を中心に一方のサイドボード１３を９０度回転させ、シート状表面材１６のうち他方のサイドボード１４とメインボード１２とを連結する部分をヒンジとして、メインボード１２の他方の側縁を中心に他方のサイドボード１４を９０度回転させることにより、一対のサイドボード１３，１４をメインボード１２に対して９０度になるように展開する（図４（ｂ））。この場合、シート状表面材１６は手間側（内側）に位置する。次に、この間仕切りボード１０を、メインボード１２が正面に位置するように机１１の天板１１ａ上に立てた状態で置く（図５）。このように極めて簡単な作業で間仕切りボード１０を不使用状態から使用状態に切換えることができる。
【００１８】
また、間仕切りボード１０が置かれた机１１への着席者が感染者である場合、或いは机１１の向こう側にいる人が感染者である場合に、感染者が咳やくしゃみ等をすることにより、ウィルスを含む飛沫が空気中に浮遊しても、このウィルスを含む飛沫が間仕切りボード１０によりその前方及び側方に飛散することを防止でき、或いはウィルスを含む飛沫が間仕切りボード１０により着席者に到来することを防止できる。この結果、上記感染者が着席した机１１の前方の机や側方の机に着席した健常者が上記ウィルスを含む飛沫を鼻や口から吸い込み難く、またウィルスを含む飛沫がその健常者の目に入り難いため、その健常者が感染症にかかるのを抑制できる。また、メインボード１２及び一対のサイドボード１３，１４に窓が形成されていないので、間仕切りボード１０を机１１の天板１１ａ上に置くことにより、メインボード１２及びサイドボード１３，１４で前方及び側方が閉止される。この結果、間仕切りボード１０より前方及び側方からの他の人の目を気にせずに済む。更に、間仕切りボード１０の不使用時には、一対のサイドボード１３，１４をメインボード１２に重ねるという極めて簡単な作業で折畳むことができる。この結果、この折畳まれた間仕切りボード１０を小さいスペースに収納できる。なお、間仕切りボードは軽量であるため、使用時に倒れたり、机から落下するおそれがあるため、再剥離性のある両面粘着テープを使用することで、より安定した状態で机に設置することができる。また、再剥離性のある両面粘着テープを使用することにより、不使用時には両面粘着テープの糊（粘着剤）が机に残ることなく剥がすことができる。
【００１９】
＜第２の実施の形態＞
図６〜図９は本考案の第２の実施の形態を示す。この実施の形態では、メインボード３２及び一対のサイドボード３３，３４は、一方の面の全体にシート状表面材３６が接着された１枚の板状発泡体を一対のＶ字状溝３０ａ，３０ａで３つに区画することによりシート状表面材３６で連結された状態に形成される。上記一対のＶ字状溝３０ａ，３０ａの角度は９０度である（図８）。また、シート状表面材３６は、第１の実施の形態のシート状表面材と同一の材質により形成されることが好ましい。更に、一対のサイドボード３３，３４をメインボード３２に対して展開するときに、一対のサイドボード３３，３４をメインボード３２に対して２７０度回転させることにより、上記Ｖ字状溝３０ａ，３０ａが閉じた状態になる（図８）。上記以外は第１の実施の形態と同一に構成される。
【００２０】
このように構成された折畳み式窓なし間仕切りボード３０の使用方法を説明する。一対のサイドボード３３，３４がメインボード３２に重なるように折畳まれた状態（不使用状態、図９（ａ））から、一対のサイドボード３３，３４をメインボード３２に対して９０度になるように展開する。具体的には、シート状表面材３６のうち一方のサイドボード３３とメインボード３２とを連結する部分をヒンジとして、メインボード３２の一方の側縁を中心に一方のサイドボード３３を２７０度回転させ、シート状表面材３６のうち他方のサイドボード３４とメインボード３２とを連結する部分をヒンジとして、メインボード３２の他方の側縁を中心に他方のサイドボード３４を２７０度回転させることにより、一対のサイドボード３３，３４をメインボード３２に対して９０度になるように展開する（図９（ｂ））。一対のサイドボード３３，３４がメインボード３２に対して９０度になると、一対のＶ字状溝３０ａ，３０ａが閉じるので、一対のサイドボード３３，３４をメインボード３２に対して速やかに９０度にすることができる。この場合、シート状表面材３６は外側に位置する。次に、この間仕切りボード３０を、メインボード３２が正面に位置するように机の天板上に立てた状態で置く。このように極めて簡単な作業で間仕切りボード３０を不使用状態から使用状態に切換えることができる。なお、この実施の形態では、一対のサイドボード３３，３４をメインボード３２に対して展開するときに、一対のサイドボード３３，３４をメインボード３２に対して２７０度回転させたが、一対のサイドボード３３，３４をメインボード３２に対して展開するときに、一対のサイドボード３３，３４をメインボード３２に対して９０度回転させてもよい。この場合、シート状表面材３６は手前側（内側）に位置する。上記以外の間仕切りボード３０の使用方法は、第１の実施の形態の間仕切りボードの使用方法と略同様であるので、繰返しの説明を省略する。
【００２１】
＜第３の実施の形態＞
図１０〜図１２は本考案の第３の実施の形態を示す。この実施の形態では、一対のサイドボード５３，５４が横長の長方形状に形成される（図１０及び図１２）。具体的には、間仕切りボード５０は、机の天板の幅方向に沿って置かれるとともに、板状発泡体により形成された長方形状のメインボード５２と、机の天板の両側縁に沿ってそれぞれ置かれるとともに、板状発泡体により形成された長方形状の一対のサイドボード５３，５４と、メインボード５２の両側縁に一対のサイドボード５３，５４を配置した状態でメインボード５２及び一対のサイドボード５３，５４の一方の面の全体に接着されたシート状表面材５６とを備える（図１０及び図１１）。そして、メインボード５２は、机の天板の幅より僅かに小さい長さを有する横長の長方形状に形成される。また、一対のサイドボード５３，５４は、机の天板の奥行きより僅かに小さい長さを有する横長の長方形状に形成される。更に、メインボード５２及び一対のサイドボード５３，５４は、一方の面の全体にシート状表面材５６が接着された１枚の板状発泡体を一対のＶ字状溝５０ａ，５０ａで３つに区画することによりシート状表面材５６で連結された状態に形成される（図１１）。上記以外は第２の実施の形態と同一に構成される。
【００２２】
このように構成された折畳み式窓なし間仕切りボード５０では、メインボード５２及び一対のサイドボード５３，５４に窓を形成しておらず、一対のサイドボード５３，５４の長さを第２の実施の形態の一対のサイドボードの長さより長い横長の長方形状に形成したので、間仕切りボード５０を机の天板上に置くことにより、メインボード５２で前方が閉止され、一対の２サイドボード５３，５４で側方が更に効果的に閉止される。この結果、間仕切りボード７０より前方及び側方からの他の人の目を全く気にせずに済む（図１２）。また、一対のサイドボード５３，５４の長さを第２の実施の形態の一対のサイドボードの長さより長い横長の長方形状に形成したので、間仕切りボード５０が置かれた机への着席者が感染者である場合、或いは机の向こう側にいる人が感染者である場合に、感染者が咳やくしゃみ等をすることにより、ウィルスを含む飛沫が空気中に浮遊しても、このウィルスを含む飛沫が間仕切りボード５０によりその前方及び側方に飛散することを更に効果的に防止でき、或いはウィルスを含む飛沫が間仕切りボード５０により着席者に到来することを更に効果的に防止できる。上記以外の間仕切りボード５０の使用方法は、第２の実施の形態の間仕切りボードの使用方法と略同様であるので、繰返しの説明を省略する。
【００２３】
＜第４の実施の形態＞
図１３〜図１５は本考案の第４の実施の形態を示す。この実施の形態では、メインボードが左右の第１及び第２メインボード７１，７２に分割される（図１３及び図１４）。具体的には、第１及び第２メインボード７１，７２は、机の天板の幅方向に沿って置かれる。また、第１及び第２サイドボード８１，８２が机の天板の両側縁に沿ってそれぞれ置かれる。これらの第１及び第２サイドボード８１，８２は、机の天板の奥行きより僅かに小さい長さを有する横長の長方形状に形成される（図１３及び図１５）。
【００２４】
一方、第１メインボード７１、第２メインボード７２、第１サイドボード８１及び第２サイドボード８２は、両方の面の全体に第１及び第２シート状表面材９１，９２がそれぞれ接着された１枚の板状発泡体からなり、この板状発泡体をその長手方向に間隔をあけて第１又は第２シート状表面材９１，９２とともに３本のスリット７０ａ，７０ｂ，７０ａを形成することにより４つに区画される（図１４）。具体的には、第１メインボード７１の側縁に第１サイドボード８１を配置しかつ第２メインボード７２の側縁に第２サイドボード８２を配置した状態で、第１メインボード７１、第２メインボード７２、第１サイドボード８１及び第２サイドボード８２の一方の面の全体に第１シート状表面材９１が接着される。そして、第１メインボード７１と第１サイドボード８１は第１シート状表面材９１で連結され、第１シート状表面材９１がヒンジとして機能する。また、第２メインボード７２と第２サイドボード８２は第１シート状表面材９１で連結され、第１シート状表面材９１がヒンジとして機能する。更に、第１メインボード７１と第２メインボード７２は第２シート状表面材９２で連結され、第２シート状表面材９２がヒンジとして機能する。上記以外は第１の実施の形態と同一に構成される。
【００２５】
このように構成された折畳み式窓なし間仕切りボード７０では、この間仕切りボード７０を使用状態から不使用状態に切換えるとき、第１メインボード７１と第２メインボード７２とを互いに重なるように折畳むとともに（図１４（ｂ）及び図１５（ｂ））、第１サイドボード８１を第１メインボード７１に重なるように折畳み、第２サイドボード８２を第２メインボード７２に重なるように折畳む（図１５（ｃ））。この結果、第１及び第２メインボード７１，７２の合計長さの方が一対のサイドボード８１，８２のそれぞれの長さより長いため、折畳んだときの間仕切りボード７０の面積が、上記第１〜第３の実施の形態の折畳んだときの間仕切りボードの面積より小さくなり、収納スペースを更に小さくすることができる。また、第１及び第２メインボード７１，７２と第１及び第２サイドボード８１，８２とに窓を形成しておらず、第１及び第２サイドボード８１，８２の長さを第２の実施の形態の一対のサイドボードの長さより長い横長の長方形状に形成したので、間仕切りボード７０を机の天板上に置くことにより、第１及び第２メインボード７１，７２で前方が閉止され、第１及び第２サイドボード８１，８２で側方が更に効果的に閉止される。この結果、間仕切りボード７０より前方及び側方からの他の人の目を全く気にせずに済む（図１５（ａ））。また、第１及び第２サイドボード８１，８２の長さを第２の実施の形態の一対のサイドボードの長さよりそれぞれ長く形成したので、間仕切りボード７０が置かれた机への着席者が感染者である場合、或いは机の向こう側にいる人が感染者である場合に、感染者が咳やくしゃみ等をすることにより、ウィルスを含む飛沫が空気中に浮遊しても、このウィルスを含む飛沫が間仕切りボード７０によりその前方及び側方に飛散することを更に効果的に防止でき、或いはウィルスを含む飛沫が間仕切りボード７０により着席者に到来することを更に効果的に防止できる。更に、第１メインボード７１、第２メインボード７２、第１サイドボード８１及び第２サイドボード８２の一方の面に第１シート状表面材９１が接着され、かつ第１メインボード７１、第２メインボード７２、第１サイドボード８１及び第２サイドボード８２の他方の面に第２シート状表面材９２が接着されているので、第１メインボード７１、第２メインボード７２、第１サイドボード８１及び第２サイドボード８２に反りが発生せず、強度の点で優れている。上記以外の間仕切りボード７０の使用方法は、第１の実施の形態の間仕切りボードの使用方法と略同様であるので、繰返しの説明を省略する。
【００２６】
なお、上記第１〜第４の実施の形態では、使用時に間仕切りボードを３つに折曲げて机の天板上に立てた状態で置いたが、使用時に間仕切りボードを３つに折曲げてテーブルの天板上に立てた状態で置いてもよい。また、上記第１〜第３の実施の形態では、メインボード及びサイドボードを一方の面にシート状表面材が接着された板状発泡体により形成したが、メインボード及びサイドボードを両方の面にシート状表面材が接着された板状発泡体により形成してもよい。ここで、メインボード及びサイドボードの両方の面にシート状表面材を接着した方が、メインボード及びサイドボードの反りや強度の点で優れている。更に、上記第４の実施の形態では、間仕切りボードを３つに折曲げた状態（例えば、図１５（ａ）に示す状態）で使用したが、４つに間仕切りボードを折曲げた状態（例えば、図１４（ｂ）に示す状態）で使用してもよい。
【符号の説明】
【００２７】
１０，３０，５０，７０  間仕切りボード
１０ａ，７０ａ，７０ｂ  スリット
１１  机
１１ａ  天板
１２，３２，５２  メインボード
１３，１４，３３，３４，５３，５４  サイドボード
１６，３６，５６  シート状表面材
３０ａ，５０ａ  Ｖ字状溝
７１  第１メインボード
７２  第２メインボード
８１  第１サイドボード
８２  第２サイドボード
９１  第１シート状表面材
９２  第２シート状表面材
【図１】
0003228025.tif 000003
【図２】
0003228025.tif 000004
【図３】
0003228025.tif 000005
【図４】
0003228025.tif 000006
【図５】
0003228025.tif 000007
【図６】
0003228025.tif 000008
【図７】
0003228025.tif 000009
【図８】
0003228025.tif 000010
【図９】
0003228025.tif 000011
【図１０】
0003228025.tif 000012
【図１１】
0003228025.tif 000013
【図１２】
0003228025.tif 000014
【図１３】
0003228025.tif 000015
【図１４】
0003228025.tif 000016
【図１５】
0003228025.tif 000017